(57)【特許請求の範囲】
【請求項１】
プラグの挿入口となる大型の開口を形成した天板の下面に、一側面を開口となし、且つ当該開口部の一端面に斜面部を形成してなるボックス状のホルダー部材を設けてなるハウジング本体と、このハウジング本体におけるホルダー部材の開口部の上部及び下部に付設した一対のガイド部材と、この一対のガイド部材によって案内される係合部を形成してなる複数個のモジュラージャックを並列状に連ねたモジュラージャックブロックとから構成され、前記モジュラージャックブロックの係合部を、ハウジング本体におけるホルダー部材に設けてある前記ガイド部材に嵌め込んで横方向にスライドさせることによりモジュラージャックブロックをハウジング本体に着脱自在に取付け得るようになしたことを特徴とするハウジングに対するモジュラージャックブロックの取付構造。
【請求項２】
天板に形成した大型の開口を、ケーブル引出し用切欠部を具えた蓋体によって覆うことができるようになっており、且つ当該蓋体はプラグをモジュラージャックに挿着する際に障害とならないよう、ハウジング本体におけるボックス状のホルダー部材内に格納できるようになっている請求項１記載のハウジングに対するモジュラージャックブロックの取付構造。
【請求項３】
ハウジング本体におけるボックス状のホルダー部材の開口部の上部及び下部に付設してある一対のガイド部材のうち、下部に付設してあるガイド部材にバネ弾性を有する係止爪を付設すると共に、モジュラージャックブロックの係合部下面に前記係止爪が嵌入し得る凹溝を凹設し、モジュラージャックブロックをハウジング本体におけるホルダー部材にセットしたとき、モジュラージャックブロックの凹溝内にガイド部材の係止爪が係合してロック状態が得られるようになっている請求項１又は請求項２記載のハウジングに対するモジュラージャックブロックの取付構造。
【発明の詳細な説明】
【０００１】
【発明の属する技術分野】
本発明はＯＡ用のデスクやテーブル、あるいはデスク用ケーブルダクト等に適用するのに好適なハウジングに対するモジュラージャックブロックの取付構造に関する。
【０００２】
【従来の技術】
ＯＡ化の進展に伴ってオフィス内のデスクやテーブル、あるいはデスク用ケーブルダクト等に、通信乃至信号用のケーブルを接続するためのモジュラージャックを取付けることが多くなってきている。
従来のデスク等に組み込むモジュラージャックは、ハウジング本体内に予じめモジュラージャックを分離不可能な状態で固定してあって、当該モジュラージャックを装着してあるハウジング本体をデスク等の所定箇所にネジ止め等で取付け、モジュラージャックとケーブルは現場においてその都度接続するようにしていた。
【０００３】
【発明が解決しようとする課題】
前記したように、従来はＯＡ用デスク等にモジュラージャックを固定したハウジング本体をネジ止め等で取付けるようにしていた。そのため、モジュラージャックのコネクタ類にケーブルの先端を接続するのが非常に厄介となり、狭隘なスペースでの接続作業のため、結線ミス等を生ずるという問題点があった。
【０００４】
また、オフィス内で通信端末等の配置換え等が行われる際においても、ハウジング本体からモジュラージャックを外すことができないため、ケーブル類の配線替え作業等に多大な手間が掛かるという不具合があった。
【０００５】
本発明は前記した従来の不具合点を解消することを目的とし、ハウジング本体に、複数個のモジュラージャックを並列状に連ねたモジュラージャックブロックを横方向にスライドさせることによってワンタッチで装着できるようにして、現場における作業性を向上すると共に、オフィス内における情報端末等の配置替えにも充分対応し得るようになしたハウジングに対するモジュラージャックブロックの取付構造を提供するものである。
【０００６】
【課題を解決するための手段】
上記目的を達成するための本発明の構成を詳述すれば、請求項１に係る発明は、プラグの挿入口となる大型の開口を形成した天板の下面に、一側面を開口となし、且つ当該開口部の一端面に斜面部を形成してなるボックス状のホルダー部材を設けてなるハウジング本体と、このハウジング本体におけるホルダー部材の開口部の上部及び下部に付設した一対のガイド部材と、この一対のガイド部材によって案内される係合部を形成してなる複数個のモジュラージャックを並列状に連ねたモジュラージャックブロックとから構成され、前記モジュラージャックブロックの係合部を、ハウジング本体におけるホルダー部材に設けてあるガイド部材に嵌め込んで横方向にスライドさせることによりモジュラージャックブロックをハウジング本体に着脱自在に取付け得るようになしたことを特徴とするハウジングに対するモジュラージャックブロックの取付構造である。
【０００７】
また、請求項２に係る発明は、天板に形成した大型の開口を、ケーブル引出し用の切欠部を具えた蓋体によって覆うことができるようになっており、しかも当該蓋体はプラグをモジュラージャックに挿着する際に障害とならないよう、ハウジング本体におけるボックス状のホルダー部材内に格納できるようになっている請求項１記載のハウジングに対するモジュラージャックブロックの取付構造である。
【０００８】
さらに、請求項３に係る発明は、ハウジング本体におけるボックス状のホルダー部材の開口部の上部及び下部に付設してある一対のガイド部材のうち、下部に付設してあるガイド部材にバネ弾性を有する係止爪を付設すると共に、モジュラージャックブロックの係合部下面に前記係止爪が嵌入し得る凹溝を凹設し、モジュラージャックブロックをハウジング本体におけるホルダー部材にセットしたとき、モジュラージャックブロックの凹溝内にガイド部材の係止爪が係合してロック状態が得られるようになっている請求項１又は請求項２記載のハウジングに対するモジュラージャックブロックの取付構造である。
【０００９】
本発明はこのように、ハウジング本体からモジュラージャックブロックを取り外すことが可能であり、狭隘なスペースでの煩雑な接続作業等を回避することができ、モジュラージャックの圧接端子部等にケーブルの先端を接続する作業がきわめて容易となり、結線ミス等の発生を回避することができる。
また、オフィス内で情報端末等の配置替えを行う際にも、ハウジング本体からモジュラージャックブロックを外すことができ、ハウジング本体は他のモジュラージャックブロックと共用することができるので、配線換え等の作業性がきわめて良好となるものである。
【００１０】
なお、天板に形成した大型の開口を覆う蓋体には、ケーブル引出し用の切欠部が設けられているので、情報端末等とモジュラージャックを繋ぐケーブル類を蓋体を閉じた状態でも引き出すことができ、ハウジング本体におけるボックス状のホルダー部材内に物を落としたりする不具合を解消することができる。
【００１１】
さらに、ホルダー部材における開口部の下部に付設してあるガイド部材にバネ弾性を有する係止爪を付設してあるので、モジュラージャックブロックの凹溝内にガイド部材の係止爪が係合してロック状態を得ることができ、ホルダー部材の開口部の上部及び下部に付設した一対のガイド部材に、モジュラージャックブロックに形成してある係合部が係合することと相俟って、安定した状態でプラグの脱着を行うことができるものである。
【００１２】
ロック状態となったモジュラージャックブロックをハウジング本体のホルダー部材から外すには、前記した係止爪の先端を、モジュラージャックブロックの凹溝内から例えばドライバー等で引き戻すことによってロック状態を解除することができ、これによってモジュラージャックブロックをハウジング本体から外すことができるものである。
【００１３】
【発明の実施の形態】
以下、本発明に係るハウジングに対するモジュラージャックブロックの取付構造の具体的構成を図示の実施例に基づき詳細に説明する。
図１はモジュラージャックブロックをハウジング本体のホルダー部材に挿着するときの一例を示す斜視図、図２はハウジング本体にモジュラージャックブロックをセットした状態の側面図、図３はハウジング本体にモジュラージャックブロックをセットした状態の底面図、図４は図３のＡ−Ａ線に沿った断面図、図５はハウジング本体の天板に設けた開口に蓋体を被せた状態の平面図、図６は蓋体をハウジング本体のホルダー部材内に格納した状態の平面図である。
【００１４】
図中１は耐衝撃性等に優れた特性を発現するＡＢＳ樹脂等の合成樹脂によって作成されたハウジング本体であり、当該ハウジング本体１はプラグ７の挿入口となる大型の開口２を形成した天板３の下面に、当該開口２の周縁部に沿ってボックス状のホルダー部材４を連設してなるもので、当該ホルダー部材４は一側面を開口となし、且つ当該開口部５の一端面に斜面部６を形成してある。
なお、特に図示しないが天板３は表面の化粧板がハウジング本体１から取り外せるようになっており、化粧板を取り外した天板３にＯＡ用デスク等に固定するための取付用ネジ穴が設けられている。
【００１５】
次に、８は前記ハウジング本体１におけるホルダー部材４の開口部５の上部及び下部に突設した一対のガイド部材である。このガイド部材８は図示する実施例の場合、ホルダー部材４と一体成形によって設けてあるが、ホルダー部材４とは別途に成形したガイド部材８をホルダー部材４の所定箇所に溶着、接着等の手段で後付けするようにしてもよいのは勿論である。
【００１６】
９は前記ハウジング本体１のホルダー部材４によって保持されるモジュラージャックブロックを示す。このモジュラージャックブロック９は独立した複数個のモジュラージャック１０（図示の実施例では２個）のプラグ差込口を揃えて並列させた状態でその頭部を、枠状をなす連結部材１１によって一体化させてなるものである。なお、モジュラージャックブロック９をなす連結部材１１には、前記一対のガイド部材８，８によって案内される係合部１２，１２を形成してある。
【００１７】
なお、係合部１２，１２の形状は、ハウジング本体１におけるホルダー部材４の開口部５の上部及び下部に突設した前記一対のガイド部材８，８に対応し得るようになっており、ホルダー部材４における開口部５の一端面に斜面部６を形成してあることと相俟って、ガイド部材８，８によってモジュラージャックブロック９を保持させたとき、ホルダー部材４内に位置することとなる各モジュラージャック１０のプラグ差込口はハウジング本体１における天板３に対して斜面状となり、プラグ７の差込み操作性が向上するものである。
【００１８】
次に、図中の１３はハウジング本体１に形成した大型の開口２を覆う蓋体であり、当該蓋体１３にはモジュラージャック１０に接続するプラグ７のケーブル１４を通すための切欠部１５を形成してある。なお、蓋体１３はプラグ７をモジュラージャック１０に挿着する際に障害とならないように、ハウジング本体１におけるボックス状のホルダー部材４内に設けた格納スペース１６に格納できるようになっている。
【００１９】
１７はハウジング本体１のホルダー部材４の開口部５の上部及び下部に付設してある一対のガイド部材８のうち、下部に付設してあるガイド部材８に設けたバネ弾性を有する係止爪であり、モジュラージャックブロック９の前記係合部１２の下面に凹設してある凹溝１８内に当該係止爪１７が係合することによって、ホルダー部材４にセットしたモジュラージャックブロック９がロックされるようになっている。
【００２０】
なお、このロック状態を解除するには、前記した係止爪１７の先端を、モジュラージャックブロック９のガイド部材８に設けてある凹溝１８内から例えばドライバー等で引き戻せばよく、モジュラージャックブロック９を斜面部６側にスライドさせることによってハウジング本体１から外すことができるものである。
【００２１】
その他、図中の１９は天板３の開口２の一側部に形成した凹所であって、蓋体１３を格納スペース１６内に落とし込む際等の手掛かりとなるものである。
２０はモジュラージャック１０の圧接端子部（図示せず）に接続するケーブルである。
【００２２】
本発明に係るハウジングに対するモジュラージャックブロックの取付構造は以上のような構成からなり、モジュラージャックブロック９の係合部１２，１２を、ハウジング本体１におけるホルダー部材４に設けてある前記ガイド部材８，８に嵌め込んで横方向にスライドさせることによりモジュラージャックブロック９をハウジング本体１に保持させることができるものである。
【００２３】
ハウジング本体１にモジュラージャックブロック９をセットすると、前記したようにガイド部材８に設けてある係止爪１７が、モジュラージャックブロック９の係合部１２の下面に凹設してある凹溝１８内に係合してモジュラージャックブロック９はロックされ安定した状態となるので、プラグ７の差し込み操作に支障を来すおそれはない。
【００２４】
【発明の効果】
以上のように本発明によれば、ハウジング本体からモジュラージャックブロックを取り外すことができるので、狭隘なスペースでの煩雑な接続作業等を回避することができ、モジュラージャックの圧接端子部等にケーブルの先端を接続する作業がきわめて容易となり、結線ミス等の発生を防止することができる。
また、オフィス内で情報端末等の配置替えを行う際にも、ハウジング本体からモジュラージャックブロックを外すことができ、ハウジング本体は他のモジュラージャックブロックと共用することができるので、配線換え等の作業性がきわめて良好となるものである。
【００２５】
また、天板に形成した大型の開口を覆う蓋体に、ケーブル引出し用の切欠部が設けられているので、情報端末等とモジュラージャックを繋ぐケーブルを蓋体を閉じた状態でも引き出すことができ、ハウジング本体におけるボックス状のホルダー部材内に物を落としたりする不具合を解消することができるものである。
【００２６】
さらに、ホルダー部材における開口部の下部に付設してあるガイド部材にバネ弾性を有する係止爪を付設してあるので、モジュラージャックブロックの凹溝内にガイド部材の係止爪を係合させてロック状態を得ることができ、ホルダー部材の開口部の上部及び下部に付設した一対のガイド部材に、モジュラージャックブロックに形成してある係合部が係合することと相俟って、安定した状態でプラグの脱着を行うことができるものである。
【図面の簡単な説明】
【図１】モジュラージャックブロックをハウジング本体のホルダー部材に挿着するときの一例を示す斜視図である。
【図２】ハウジング本体にモジュラージャックブロックをセットした状態の側面図である。
【図３】ハウジング本体にモジュラージャックブロックをセットした状態の底面図である。
【図４】図３のＡ−Ａ線に沿った断面図である。
【図５】ハウジング本体の天板に設けた開口に蓋体を被せた状態の平面図である。
【図６】蓋体をハウジング本体のホルダー部材内に格納した状態の平面図である。
【符号の説明】
１：ハウジング本体                ２：開口
３：天板                          ４：ホルダー部材
５：開口部                        ６：斜面部
７：プラグ                        ８：ガイド部材
９：モジュラージャックブロック  １０：モジュラージャック
１１：連結部材                    １２：係合部
１３：蓋体                        １４：ケーブル
１５：切欠部                      １６：格納スペース
１７：係止爪                      １８：凹溝
１９：凹所                        ２０：ケーブル
【図１】
0003784525.tif 000002
【図２】
0003784525.tif 000003
【図３】
0003784525.tif 000004
【図４】
0003784525.tif 000005
【図５】
0003784525.tif 000006
【図６】
0003784525.tif 000007